(57)【要約】【課題】１枚の光ディスクに複数のホストコンピュータ、あるいは複数の端末から同時に記録再生する。【解決手段】ホストコンピュータとデータを入出力する複数のインタフェース手段と、前記記録媒体に信号を書き込み、前記記録媒体から信号を読み出す、複数の光ピックアップと、前記インタフェース手段から入力したデータを符号化して前記光ピックアップに出力し、前記光ピックアップから入力した信号からデータを復号して前記インタフェース手段に出力する、信号処理手段を備え、複数のホストコンピュータから同時にデータを入出力し、前記記録媒体に同時にデータを記録再生する。【選択図】  図１
2013077346.tif 000002
【特許請求の範囲】
【請求項１】
記録媒体にデータを記録し、記録媒体からデータを再生する、データ記録再生装置において、
ホストコンピュータとデータを入出力する複数のインタフェース手段と、
前記記録媒体に信号を書き込み、前記記録媒体から信号を読み出す、複数の光ピックアップと、
前記インタフェース手段から入力したデータを符号化して前記光ピックアップに出力し、前記光ピックアップから入力した信号からデータを復号して前記インタフェース手段に出力する、信号処理手段を備え、
複数のホストコンピュータから同時にデータを入出力し、前記複数の光ピックアップの内１つの光ピックアップを用いて前記記録媒体から管理情報を読み出し、該読み出された管理情報を用いて、前記記録媒体に同時にデータを記録再生することを特徴とするデータ記録再生装置。
【請求項２】
請求項１に記載のデータ記録再生装置において、
ホストコンピュータから入力したデータを前記記録媒体に記録し、前記記録媒体から再生したデータをホストコンピュータに出力する主装置と、
前記ホストコンピュータとは別のホストコンピュータから入力したデータを前記記録媒体に記録し、前記記録媒体から再生したデータを前記別のホストコンピュータに出力する従装置と、
前記主装置からデータを書き込み、前記従装置からデータを読み出す記憶手段を備え、
前記主装置は前記光ピックアップと、前記インタフェース手段と、前記信号処理手段と、前記記録媒体を回転駆動する回転駆動手段を備え、
前記従装置は前記光ピックアップと、前記インタフェース手段と、前記信号処理手段を備え、
前記記録媒体が装着された際に、前記主装置は前記記録媒体の媒体情報を読み出して前記記憶手段に書き込み、前記従装置は前記記憶手段から読み出すことにより媒体情報を得て、
複数のホストコンピュータから同時にデータを入出力し、前記記録媒体に同時にデータを記録再生することを特徴とするデータ記録再生装置。
【請求項３】
複数枚の記録媒体にデータを記録・管理するデータライブラリ装置において、
前記記録媒体にデータを記録再生する複数台のデータ記録再生装置と、
前記複数台のデータ記録再生装置の記録媒体を交換する記録媒体交換手段を備え、
前記複数台のデータ記録再生装置は、サーバからデータを入力して前記記録媒体に記録し、前記記録媒体からデータを再生してサーバに接続された端末に出力する主装置と、
サーバからデータを入力して前記記録媒体に記録し、前記記録媒体からデータを再生してサーバに接続された前記端末とは別の端末に出力する従装置と、
前記主装置からデータを書き込み、前記従装置からデータを読み出す記憶手段を備え、
サーバからデータの記録再生が要求された場合は、前期記録媒体交換装置により該当する記録媒体を前記データ記録再生装置に装着し、
前記主装置は前記記録媒体から媒体情報を読み出して前記記憶手段に書き込み、前記従装置は前記記憶手段から媒体情報を読み出し、
前記サーバに接続された複数の端末から同時にデータを入出力し、前記記録媒体に同時にデータを記録再生することを特徴とするデータライブラリ装置。
【請求項４】
複数枚の記録媒体にデータを記録・管理するデータライブラリ装置において、
前記記録媒体にデータを記録再生する複数台のデータ記録再生装置と、
前記複数台のデータ記録再生装置の記録媒体を交換する記録媒体交換手段と、
前記複数の記録媒体の識別情報と媒体情報を記憶する記憶手段を備え、
前記複数台のデータ記録再生装置は、サーバからデータを入力して前記記録媒体に記録し、前記記録媒体からデータを再生してサーバに接続された端末に出力する主装置と、
サーバからデータを入力して前記記録媒体に記録し、前記記録媒体からデータを再生してサーバに接続された前記端末とは別の端末に出力する従装置を備え、
サーバからデータの記録再生が要求された場合は、前期記録媒体交換装置により該当する記録媒体を前記データ記録再生装置に装着し、
前記主装置は、前記記録媒体から識別情報を読み出し、前記識別情報に該当する媒体情報が前記記憶手段にある場合は、前記記憶手段から前記媒体情報を読み出し、
前記識別情報に該当する媒体情報が前記記憶手段にない場合は、前記記録媒体から前記媒体情報を読み出し、前記記憶手段に書き込み、
前記従装置は、前記記録媒体から前記媒体情報を読み出し、
前記サーバに接続された複数の端末から同時にデータを入出力し、前記記録媒体に同時にデータを記録再生することを特徴とするデータライブラリ装置。
【請求項５】
記録媒体にデータを記録及び／または再生する、データ記録再生装置であって、
データを入出力する第１のインタフェース部と、
前記記録媒体に、前記第１のインタフェース部を介して入力されたデータを記録、及び／または前記記録媒体に記録されたデータを再生する第１のピックアップと、
データを入出力する第２のインタフェース部と、
前記記録媒体に、前記第２のインタフェース部を介して入力されたデータを記録、及び／または前記記録媒体に記録されたデータを再生する第２のピックアップと、を備え、
前記第１のピックアップと前記第２のピックアップのいずれか一方を用いて、前記記録媒体から媒体情報が再生され、該再生された媒体情報に基づいて、前記１のピックアップ及び前記第２にピックアップによる、前記記録媒体へのデータの記録及び／または前記記録媒体からデータの再生が行われることを特徴とするデータ記録再生装置。
【請求項６】
請求項５に記載のデータ記録再生装置であって、
前記第１のピックアップを用いて、前記記録媒体から媒体情報が再生された場合、該再生された媒体情報を記憶する記憶部を備え、
前記記憶部に記憶された媒体情報が読み出され、該読み出された媒体情報に基づいて、前記第２にピックアップによる、前記記録媒体へのデータの記録及び／または前記記録媒体からデータの再生が行われることを特徴とするデータ記録再生装置。
【請求項７】
請求項６に記載のデータ記録再生装置であって、
前記第１のピックアップと前記第１のインタフェース部を含む第１の装置と、
前記第２のピックアップと前記第２のインタフェース部を含む第２の装置と、を備えることをデータ記録再生装置。
【請求項８】
請求項７に記載のデータ記録再生装置であって、
前記記録媒体の回転制御は前記第１の装置で行われることを特徴とするデータ記録再生装置。
【発明の詳細な説明】
【技術分野】
【０００１】
本発明は、データ記録再生装置およびデータライブラリ装置に関するものである。
【背景技術】
【０００２】
本技術分野の背景技術として、特開平５−２０５２８５号公報がある。この公報には、「光学的記録媒体６の少なくとも片面側に複数のヘッド１２ａ，１２ｂを備え、各ヘッド１２ａ，１２ｂに対応する外部のキー入力信号によって、情報の記録、情報の再生、及び情報の消去などから選択される情報処理の少なくとも１つについて、互いに独立に、かつ同時あるいは同時並行に複数のヘッドがアクセスすることが可能なことを特徴とするものである。」と記載されている。
【先行技術文献】
【特許文献】
【０００３】
【特許文献１】特開平５−２０５２８５号公報
【発明の概要】
【発明が解決しようとする課題】
【０００４】
前記特許文献１では、互いに独立に、かつ同時あるいは同時並行に複数のヘッドがアクセスすることが可能な光情報処理装置システムが開示されている。しかし、特許文献１では、光学的記録媒体に情報の記録または再生を行うための準備処理については考慮されていないため、適切に情報の記録または再生を行うことが出来ない可能性がある。
【０００５】
そこで、本発明の目的は、適切に情報の記録または再生を行うことが可能なデータ記録再生装置またはデータライブラリ装置を提供することである。
【課題を解決するための手段】
【０００６】
本発明の目的は、例えば複数のヘッドを複数のインタフェースから独立に制御し、いずれか１つのヘッドを用いて記録媒体の媒体情報等を読み出すことで達成できる。
【発明の効果】
【０００７】
本発明によれば、適切に情報の記録または再生を行うことが可能なデータ記録再生装置またはデータライブラリ装置を提供することが出来る。
【０００８】
上記した以外の課題、構成及び効果は、以下の実施形態の説明により明らかにされる。
【図面の簡単な説明】
【０００９】
【図１】第１の実施例のデータ記録再生装置の構成を示すブロック図。
【図２】第１の実施例のデータ記録再生装置の動作を説明するフローチャート。
【図３】第２の実施例のデータ記録再生装置の構成を示すブロック図。
【図４】第２の実施例のデータ記録再生装置の動作を説明するフローチャート。
【図５】第３の実施例のデータライブラリ装置の構成を示すブロック図。
【図６】第３の実施例のデータ記録再生装置の構成を示すブロック図。
【図７】第３の実施例のデータライブラリ装置の動作を説明するフローチャート。
【図８】第４の実施例のデータライブラリ装置の構成を示すブロック図。
【図９】第４の実施例のデータ記録再生装置の構成を示すブロック図。
【図１０】第４の実施例のデータライブラリ装置の動作を説明するフローチャート。
【図１１】第４の実施例のデータライブラリ装置のメモリの内容を示す表。
【発明を実施するための形態】
【００１０】
以下、図面を用いて実施例を説明する。
【実施例１】
【００１１】
図１は、本発明の第１の実施例のデータ記録再生装置の構成を示すブロック図である。データ記録再生装置１は、２つのホストコンピュータを接続可能であり、ホストコンピュータＡおよびＢから入出力したデータを記録媒体に記録再生する。光ディスク２はデータ記録媒体、例えばＢＤ−Ｒ（Ｂｌｕ−ｒａｙ  Ｄｉｓｃ  Ｒｅｃｏｒｄａｂｌｅ）であるが、必ずしも光ディスクに限定されるものではなく、光磁気ディスクやホログラム等の記録媒体であってもよく、ディスク形状でなくてもよい。
【００１２】
データ記録再生装置の主装置１１は、ホストコンピュータＡに接続されており、ホストコンピュータＡから入力したデータを光ディスク２に記録する。また、光ディスク２から再生したデータをホストコンピュータＡに出力する。データ記録再生装置の従装置１２は、ホストコンピュータＢに接続されており、ホストコンピュータＢから入力したデータを光ディスク２に記録する。また、光ディスク２から再生したデータをホストコンピュータＢに出力する。
【００１３】
光ピックアップ３、１３は、光ディスク２から信号を再生して増幅回路４、１４に送る。また、信号処理回路５、１５から送られた変調信号を光ディスク２に記録する。
【００１４】
増幅回路４、１４は、光ピックアップ３、１３を介して光ディスク２から再生した信号を増幅して信号処理回路５、１５に送る。また、サーボ信号を生成してサーボ回路８、１８に送る。増幅回路４、１４は、例えば、ＡＦＥ（Ａｎａｌｏｇ  Ｆｒｏｎｔ  Ｅｎｄ）によって実装する。
【００１５】
信号処理回路５、１５は、入力信号を復調してインタリーブを解き、誤り訂正を行い、スクランブルを解いたデータをインタフェース回路６、１６に送る。また、インタフェース回路６、１６から送られたデータにスクランブルを施し、誤り訂正符号を付加し、インタリーブを施し、変調して光ピックアップ３、１３に送る。
【００１６】
インタフェース回路６、１６は、信号処理回路５、１５から送られたデータをホストコンピュータＡ、Ｂに送る。また、ホストコンピュータＡ、Ｂから送られたデータを信号処理回路５、１５に送る。インタフェース回路６、１６は、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）その他の転送方式に準拠したデータ転送を行う。
【００１７】
ＣＰＵ（Ｃｅｎｔｒａｌ  Ｐｒｏｃｅｓｓｉｎｇ  Ｕｎｉｔ）７、１７は、各回路を制御してデータ記録再生装置１の記録処理、再生処理の制御を行う。また、ＣＰＵ７は、光ディスク２から識別情報、媒体情報や管理情報等、当該光ディスクの記録再生処理に必要な各種情報を読み出す。識別情報とは、例えば光ディスク内周のＢＣＡ（Ｂｕｒｓｔ  Ｃｕｔｔｉｎｇ  Ａｒｅａ）に記録されている製品番号やシリアル番号等である。媒体情報とは、例えば光ディスクの種類や層情報等である。管理情報とは、例えば光ディスクの記録管理情報、欠陥管理情報等である。更に、ＣＰＵ７は、光ディスク２がデータ記録再生に適した速度で回転するように、スピンドルモータ１０を制御する。なお、ＣＰＵ７、１７は、ＣＰＵでなくとも、任意の制御回路や、ＡＳＩＣ等の専用回路でもよい。
【００１８】
サーボ回路８、１８は、増幅回路４、１４にて生成されたサーボ信号により光ピックアップ３、１３を制御する。
【００１９】
メモリ９はＣＰＵ７の制御プログラムやデータ記録再生装置の主装置１１固有の各種設定値を記憶し、メモリ１９はＣＰＵ１７の制御プログラムやデータ記録再生装置の従装置１２固有の各種設定値を記憶する。
【００２０】
スピンドルモータ１０は、ＣＰＵ７に制御されて光ディスク２を回転させる。
【００２１】
メモリ２０は、光ディスク２の媒体情報や管理情報等、当該光ディスク固有の情報を記憶する。これらの情報は、当該光ディスクにデータを記録再生する上で、データ記録再生装置の主装置１１と従装置１２が共に必要とする情報である。
【００２２】
次に、光ディスク２にデータを記録する場合のデータ記録再生装置１の動作を説明する。 データ記録再生装置１に光ディスク２が装着されると、ＣＰＵ７はスピンドルモータ１０を介して光ディスク２を回転させ、光ピックアップ３、増幅回路４、サーボ回路８を介して光ディスク２の識別情報と媒体情報を読み出し、メモリ２０に記憶する。
【００２３】
増幅回路４、サーボ回路８の調整後、光ディスク２の管理情報等を読み出し、メモリ２０に記憶する。ＣＰＵ１７は光ディスク２の識別情報と媒体情報、管理情報等をメモリ２０から読み出すことができる。
【００２４】
そして、ホストコンピュータＡからデータ記録再生装置１にデータが送られると、データ記録再生装置の主装置１１のインタフェース回路６でデータを受け取り、信号処理回路５でスクランブルを施し、誤り訂正符号を付加し、インタリーブを施し、データ変調して光ピックアップ３に送り、光ディスク２に記録する。
【００２５】
また、ホストコンピュータＢからデータ記録再生装置１にデータが送られると、データ記録再生装置の従装置１２のインタフェース回路１６でデータを受け取り、信号処理回路１５でスクランブルを施し、誤り訂正符号を付加し、インタリーブを施し、データ変調して光ピックアップ１３に送り、光ディスク２に記録する。
【００２６】
次に、光ディスク２からデータを再生する場合のデータ記録再生装置１の動作を説明する。データ記録再生装置１に光ディスク２が装着されると、ＣＰＵ７はスピンドルモータ１０を介して光ディスク２を回転させ、光ピックアップ３、増幅回路４、サーボ回路８を介して光ディスク２の識別情報と媒体情報を読み出し、メモリ２０に記憶する。
【００２７】
次に増幅回路４、サーボ回路８を調整し、光ディスク２の管理情報等を読み出し、メモリ２０に記憶する。ＣＰＵ１７は光ディスク２の識別情報と媒体情報、管理情報等をメモリ２０から読み出すことができる。
【００２８】
そして、ホストコンピュータＡからデータ記録再生装置１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してホストコンピュータＡにデータを送る。
【００２９】
また、ホストコンピュータＢからデータ記録再生装置１にデータが要求されると、光ピックアップ１３を介して光ディスク２から読み出した信号を増幅回路１４で増幅し、信号処理回路１５でデータ復調し、インタリーブを解き、誤り訂正を行い、スクランブルを解き、インタフェース回路１６を介してホストコンピュータＢにデータを送る。
【００３０】
以上はホストコンピュータＡ、Ｂが共にデータを記録する例と、ホストコンピュータＡ、Ｂが共にデータを再生する例であるが、ホストコンピュータＡがデータを記録し、ホストコンピュータＢがデータを再生することもできる。また、ホストコンピュータＢがデータを記録し、ホストコンピュータＡがデータを再生することもできる。
【００３１】
図２は、第１の実施例のデータ記録再生装置の動作を示すフローチャートである。ステップＳ２０１においてデータ記録再生装置に光ディスクが装着されたら、ステップＳ２０２においてデータ記録再生装置の主装置が光ディスクを回転させ、ステップＳ２０３において光ディスクから識別情報、媒体情報、管理情報等を読み出す。
【００３２】
次にステップＳ２０４においてデータ記録再生装置の主装置がメモリに各種情報を書き込む。
【００３３】
次にステップＳ２０５においてホストコンピュータＡからデータ記録再生装置の主装置にデータ記録再生が要求されると、ステップＳ２０６において光ディスクにデータ記録再生処理を開始する。また、ステップＳ２０７においてホストコンピュータＢからデータ記録再生装置の従装置にデータ記録再生が要求されると、ステップＳ２０８においてデータ記録再生装置の従装置がメモリから各種情報を読み出し、ステップＳ２０９において光ディスクにデータ記録再生処理を開始する。ホストコンピュータＡとホストコンピュータＢからのデータ記録再生要求には同時に応えることができる。
【００３４】
ステップＳ２１０においてデータ記録再生処理が終了し、ステップＳ２１１において光ディスク排出が要求された場合は、ステップＳ２１２において光ディスクの管理情報を更新するかどうかを確認する。一般にデータ記録処理を行った場合は更新が必要であり、管理情報を更新する場合は、ステップＳ２１３においてデータ記録再生装置の主装置が光ディスクに管理情報を書き込む。
【００３５】
次に、ステップＳ２１４において光ディスクを排出し、処理を終了する。
【００３６】
以上の構成により本発明の第１の実施例では、２つのホストインタフェースを介して２つのホストコンピュータから同一の光ディスクに対して独立かつ適切にデータ記録再生を行うことができる。
【００３７】
なお、２つのホストインタフェースに１つのホストコンピュータを接続してもよく、この場合は１つのホストコンピュータから２データ同時に記録再生を行うことができる。
【００３８】
また、本実施例のデータ記録再生装置の主装置は、従来のデータ記録再生装置にメモリへのデータ書き込み手段を加えることで実現でき、従装置は、従来のデータ記録再生装置にメモリからのデータ読み出し手段を加え、スピンドルモータの制御を削除することで実現できる。
【実施例２】
【００３９】
図３は、本発明の第２の実施例のデータ記録再生装置の構成を示すブロック図である。図１と共通の回路については説明を省略する。データ記録再生装置３０は、２つのホストコンピュータを接続可能であり、ホストコンピュータＡおよびＢから入出力したデータを記録媒体に記録再生する。
【００４０】
データ記録再生装置の主装置３１は、ホストコンピュータＡに接続されており、ホストコンピュータＡから入力したデータを光ディスク２に記録する。また、光ディスク２から再生したデータをホストコンピュータＡに出力する。データ記録再生装置の従装置３２は、ホストコンピュータＢに接続されており、ホストコンピュータＢから入力したデータを光ディスク２に記録する。また、光ディスク２から再生したデータをホストコンピュータＢに出力する。
【００４１】
光ピックアップ３、１３は、光ディスク２から信号を再生して増幅回路４、１４に送る。また、信号処理回路５、１５から送られた変調信号を光ディスク２に記録する。
【００４２】
増幅回路４、１４は、光ピックアップ３、１３を介して光ディスク２から再生した信号を増幅して信号処理回路３５に送る。また、サーボ信号を生成してサーボ回路８、１８に送る。
【００４３】
信号処理回路３５は、入力信号を復調してインタリーブを解き、誤り訂正を行い、スクランブルを解いたデータをインタフェース回路６、１６に送る。また、インタフェース回路６、１６から送られたデータにスクランブルを施し、誤り訂正符号を付加し、インタリーブを施し、変調して光ピックアップ３、１３に送る。
【００４４】
インタフェース回路６、１６は、信号処理回路３５から送られたデータをホストコンピュータＡ、Ｂに送る。また、ホストコンピュータＡ、Ｂから送られたデータを信号処理回路３５に送る。
【００４５】
ＣＰＵ３７は、各回路を制御してデータ記録再生装置３０の記録処理、再生処理の制御を行う。また、光ディスク２から識別情報、媒体情報や管理情報等、当該光ディスクを記録再生する際に必要な各種情報を読み出す。また、光ディスク２がデータ記録再生に適した速度で回転するように、スピンドルモータ１０を制御する。
【００４６】
スピンドルモータ１０は、ＣＰＵ３７に制御されて光ディスク２を回転させる。
【００４７】
メモリ３９はＣＰＵ３７の制御プログラムやデータ記録再生装置の主装置１１、従装置１２固有の各種設定値、および光ディスク２の媒体情報や管理情報等、データ記録再生装置の主装置１１と従装置１２に共通する各種情報を記憶する。
【００４８】
次に、光ディスク２にデータを記録する場合のデータ記録再生装置３０の動作を説明する。データ記録再生装置３０に光ディスク２が装着されると、ＣＰＵ３７はスピンドルモータ１０を介して光ディスク２を回転させ、光ピックアップ３、増幅回路４、サーボ回路８を介して光ディスク２の識別情報と媒体情報を読み出し、メモリ３９に記憶する。
【００４９】
次に増幅回路４、サーボ回路８を調整し、光ディスク２の管理情報等を読み出し、メモリ３９に記憶する。
【００５０】
そして、ホストコンピュータＡからデータ記録再生装置３０にデータが送られると、データ記録再生装置の主装置３１のインタフェース回路６でデータを受け取り、信号処理回路３５でスクランブルを施し、誤り訂正符号を付加し、インタリーブを施し、データ変調して光ピックアップ３に送り、光ディスク２に記録する。
【００５１】
また、ホストコンピュータＢからデータ記録再生装置３０にデータが送られると、データ記録再生装置の従装置３２のインタフェース回路１６でデータを受け取り、信号処理回路３５でスクランブルを施し、誤り訂正符号を付加し、インタリーブを施し、データ変調して光ピックアップ１３に送り、光ディスク２に記録する。
【００５２】
次に、光ディスク２からデータを再生する場合のデータ記録再生装置３０の動作を説明する。データ記録再生装置３０に光ディスク２が装着されると、ＣＰＵ３７はスピンドルモータ１０を介して光ディスク２を回転させ、光ピックアップ３、増幅回路４、サーボ回路８を介して光ディスク２の識別情報と媒体情報を読み出し、メモリ３９に記憶する。
【００５３】
次に増幅回路４、サーボ回路８を調整し、光ディスク２の管理情報等を読み出し、メモリ３９に記憶する。
【００５４】
そして、ホストコンピュータＡからデータ記録再生装置３０にデータが要求されると、光ピックアップ３を介して光ディスク２から読み出した信号を増幅回路４で増幅し、信号処理回路３５でデータ復調し、インタリーブを解き、誤り訂正を行い、スクランブルを解き、インタフェース回路６を介してホストコンピュータＡにデータを送る。
【００５５】
また、ホストコンピュータＢからデータ記録再生装置３０にデータが要求されると、光ピックアップ１３を介して光ディスク２から読み出した信号を増幅回路１４で増幅し、信号処理回路３５でデータ復調し、インタリーブを解き、誤り訂正を行い、スクランブルを解き、インタフェース回路１６を介してホストコンピュータＢにデータを送る。
【００５６】
以上はホストコンピュータＡ、Ｂが共にデータを記録する例と、ホストコンピュータＡ、Ｂが共にデータを再生する例であるが、ホストコンピュータＡがデータを記録し、ホストコンピュータＢがデータを再生することもできる。また、ホストコンピュータＢがデータを記録し、ホストコンピュータＡがデータを再生することもできる。
【００５７】
図４は、第１の実施例のデータ記録再生装置の動作を示すフローチャートである。ステップＳ４０１においてデータ記録再生装置に光ディスクが装着されたら、ステップＳ４０２においてデータ記録再生装置の主装置が光ディスクを回転させ、ステップＳ４０３において光ディスクから識別情報、媒体情報、管理情報等を読み出す。
【００５８】
次にステップＳ４０４においてデータ記録再生装置の主装置がメモリに各種情報を記録する。
【００５９】
次にステップＳ４０５においてホストコンピュータＡからデータ記録再生装置の主装置にデータ記録再生が要求されると、ステップＳ４０６において光ディスクにデータ記録再生処理を開始する。また、ステップＳ４０７においてホストコンピュータＢからデータ記録再生装置の従装置にデータ記録再生が要求されると、ステップＳ４０８において光ディスクにデータ記録再生処理を開始する。ホストコンピュータＡとホストコンピュータＢからのデータ記録再生要求には同時に応えることができる。
【００６０】
ステップＳ４０９においてデータ記録再生処理が終了し、ステップＳ４１０において光ディスク排出が要求された場合は、ステップＳ４１１において光ディスクの管理情報を更新するかどうかを確認する。管理情報を更新する場合は、ステップＳ４１２においてデータ記録再生装置の主装置が光ディスクに管理情報を書き込む。
【００６１】
次に、ステップＳ４１３において光ディスクを排出し、処理を終了する。
【００６２】
以上の構成により本発明の第２の実施例では、２つのホストインタフェースを介して２つのホストコンピュータから同一の光ディスクに対して独立かつ適切にデータ記録再生を行うことができる。
【００６３】
なお、２つのホストインタフェースに１つのホストコンピュータを接続してもよく、この場合は１つのホストコンピュータから２データ同時に記録再生を行うことができる。
【００６４】
更に、第２の実施例ではメモリとＣＰＵを１つ持つ構成のため、第１の実施例よりも回路を共通化して装置の簡素化を図ることができる。
【実施例３】
【００６５】
図５は、本発明の第３の実施例のデータライブラリ装置の構成を示すブロック図である。データライブラリ装置５１は、ネットワーク５４に接続された複数の端末５３からサーバ５５を介してハードディスク５６に蓄積されたデータを光ディスク５７に記録する。あるいは光ディスク５７からデータを再生し、サーバ５５を介してネットワーク５４に接続された複数の端末５３に送る。サーバ５５は、ハードディスク５６とデータライブラリ装置５１を制御してデータを管理する。ハードディスク５６は、サーバ５５に制御されてデータの記録再生を行う。
【００６６】
光ディスク５７は、データライブラリ装置５１に複数枚格納されており、光ディスク交換装置５８により選択され、データ記録再生装置６１、６２、６３、６４に装着され、データが記録再生される。データ記録再生装置６１、６２、６３、６４は、ライブラリ装置制御回路５２に制御されて、光ディスク５７にデータを記録再生する。光ディスク交換装置５８は、ライブラリ装置制御回路５２に制御されて、データ記録再生装置６１、６２、６３、６４に装着する光ディスクを交換する。
【００６７】
ライブラリ装置制御回路５２は、サーバ５５からの要求により、光ディスク交換装置５８を制御して複数枚の光ディスク５７から所望の光ディスクを選択し、データ記録再生装置６１、６２、６３、６４に装着する。
【００６８】
なお、本実施例ではデータライブラリ装置にデータ記録再生装置を４台備えた例を示したが、特に４台に限るものではなく、何台でもよい。
【００６９】
図６は第３の実施例のデータ記録再生装置の構成を示すブロック図である。図１と共通の回路については説明を省略する。データ記録再生装置６１は、ライブラリ装置制御回路に接続されており、ライブラリ装置制御回路から入出力したデータを記録媒体に記録再生する。
【００７０】
次に、光ディスク２にデータを記録する場合のデータ記録再生装置６１の動作を説明する。 データ記録再生装置６１に光ディスク２が装着されると、ＣＰＵ７はスピンドルモータ１０を介して光ディスク２を回転させ、光ピックアップ３、増幅回路４、サーボ回路８を介して光ディスク２の識別情報、媒体情報、管理情報等を読み出し、メモリ２０に記憶する。ＣＰＵ１７は光ディスク２の識別情報と媒体情報、管理情報等をメモリ２０から読み出すことができる。
【００７１】
そして、ライブラリ装置制御回路からデータ記録再生装置の主装置１１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００７２】
また、ライブラリ装置制御回路からデータ記録再生装置の従装置１２にデータが送られると、インタフェース回路１６でデータを受け取り、信号処理回路１５でスクランブルを施し、誤り訂正符号を付加し、インタリーブを施し、データ変調して光ピックアップ１３に送り、光ディスク２に記録する。
【００７３】
次に、光ディスク２からデータを再生する場合のデータ記録再生装置５１の動作を説明する。データ記録再生装置５１に光ディスク２が装着されると、ＣＰＵ７はスピンドルモータ１０を介して光ディスク２を回転させ、光ピックアップ３、増幅回路４、サーボ回路８を介して光ディスク２の識別情報と媒体情報を読み出し、メモリ２０に記憶する。
【００７４】
次に増幅回路４、サーボ回路８を調整し、光ディスク２の管理情報等を読み出し、メモリ２０に記憶する。ＣＰＵ１７は光ディスク２の識別情報と媒体情報、管理情報等をメモリ２０から読み出すことができる。
【００７５】
そして、ライブラリ装置制御回路からデータ記録再生装置の主装置１１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してライブラリ装置制御回路にデータを送る。
【００７６】
また、ライブラリ装置制御回路からデータ記録再生装置の従装置１２にデータが要求されると、光ピックアップ１３を介して光ディスク２から読み出した信号を増幅回路１４で増幅し、信号処理回路１５でデータ復調し、インタリーブを解き、誤り訂正を行い、スクランブルを解き、インタフェース回路１６を介してライブラリ装置制御回路にデータを送る。
【００７７】
以上はデータ記録再生装置の主装置と従装置で共にデータを記録する例と、主装置と従装置で共にデータを再生する例であるが、主装置でデータを記録し、従装置でデータを再生することもできる。また、従装置でデータを記録し、主装置でデータを再生することもできる。
【００７８】
また、データ記録再生装置６１について説明したが、データ記録再生装置６２、６３、６４についても同様である。
【００７９】
図７は第３の実施例のデータライブラリ装置の動作を示すフローチャートである。ステップＳ７０１においてサーバにデータの記録再生要求があった場合、ステップＳ７０２においてサーバはまず当該データがハードディスクに存在するかどうかを調べる。ハードディスクに存在する場合は、ステップＳ７０３においてハードディスクにデータ記録再生を行う。ハードディスクに存在しない場合は、ステップＳ７０４において光ディスクに存在するかどうかを調べる。光ディスクに存在しない場合は、ステップＳ７０３においてハードディスクにデータ記録再生を行う。光ディスクに存在する場合は、ステップＳ７０５において該当する光ディスクをデータ記録再生装置に装着する。
【００８０】
次に、ステップＳ７０６においてデータ記録再生装置の主装置が光ディスクを回転させ、ステップＳ７０７において光ディスクから識別情報、媒体情報、管理情報等を読み出す。
【００８１】
次にステップＳ７０８においてデータ記録再生装置の主装置がメモリに各種情報を書き込む。
【００８２】
次にステップＳ７１２においてデータ記録再生装置の主装置により光ディスクにデータ記録再生処理を行うが、ステップＳ７０９において当該光ディスクに対する別の端末からのデータ要求が確認された場合は、ステップＳ７１０においてデータ記録再生装置の従装置がメモリから各種情報を読み出し、ステップＳ７１１においてデータ記録再生装置の主装置により光ディスクにデータ記録再生処理を行うと共にデータ記録再生装置の従装置により光ディスクにデータ記録再生処理を行う。
【００８３】
次にステップＳ７１３において光ディスクの管理情報を更新するかどうかを確認する。管理情報を更新する場合は、ステップＳ４１４においてデータ記録再生装置の主装置が光ディスクに管理情報を書き込む。
【００８４】
次に、ステップＳ４１５において光ディスクを排出し、処理を終了する。
【００８５】
以上の構成により本発明の第３の実施例では、２つのホストインタフェースを介して２つの端末から同一の光ディスクに対して独立かつ適切にデータ記録再生を行うことができる。
【実施例４】
【００８６】
図８は、本発明の第４の実施例のデータライブラリ装置の構成を示すブロック図である。データライブラリ装置８１は、ネットワーク５４に接続された複数の端末５３からサーバ５５を介してハードディスク５６に蓄積されたデータを光ディスク５７に記録する。あるいは光ディスク５７からデータを再生し、サーバ５５を介してネットワーク５４に接続された複数の端末５３に送る。サーバ５５は、ハードディスク５６とデータライブラリ装置８１を制御してデータを管理する。ハードディスク５６は、サーバ５５に制御されてデータの記録再生を行う。
【００８７】
光ディスク５７は、データライブラリ装置８１に複数枚格納されており、光ディスク交換装置５８により選択され、データ記録再生装置９１、９２、９３、９４に装着され、データが記録再生される。データ記録再生装置９１、９２、９３、９４は、ライブラリ装置制御回路８２に制御されて、光ディスク５７にデータを記録再生する。光ディスク交換装置５８は、ライブラリ装置制御回路８２に制御されて、データ記録再生装置９１、９２、９３、９４に装着する光ディスクを交換する。
【００８８】
ライブラリ装置制御回路８２は、サーバ５５からの要求により、光ディスク交換装置５８を制御して複数枚の光ディスク５７から所望の光ディスクを選択し、データ記録再生装置９１、９２、９３、９４に装着する。また、データ記録再生装置９１、９２、９３、９４から送られた識別情報と媒体情報や管理情報等をメモリ８３に送る。
【００８９】
メモリ８３は、データ記録再生装置９１、９２、９３、９４の各データ記録再生装置の主装置から送られた識別情報と媒体情報や管理情報等、各データ記録再生装置９１、９２、９３、９４に共通する各種情報を記憶する。
【００９０】
なお、本実施例ではデータライブラリ装置にデータ記録再生装置を４台備えた例を示したが、特に４台に限るものではなく、何台でもよい。
【００９１】
図９は第４の実施例のデータ記録再生装置の構成を示すブロック図である。図１と共通の回路については説明を省略する。データ記録再生装置９１は、ライブラリ装置制御回路に接続されており、ライブラリ装置制御回路から入出力したデータを記録媒体に記録再生する。
【００９２】
次に、光ディスク２にデータを記録する場合のデータ記録再生装置９１の動作を説明する。 データ記録再生装置９１に光ディスク２が装着されると、ＣＰＵ７はスピンドルモータ１０を介して光ディスク２を回転させ、光ピックアップ３、増幅回路４、サーボ回路８を介して光ディスク２の識別情報と媒体情報を読み出し、メモリ２０に記憶する。
【００９３】
次に増幅回路４、サーボ回路８を調整し、光ディスク２の管理情報等を読み出し、ライブラリ装置制御回路に送る。ライブラリ装置制御回路に送られた情報はメモリに記憶される。ＣＰＵ１７はライブラリ装置制御回路を介して、メモリから光ディスク２の識別情報と媒体情報、管理情報等を読み出すことができる。
【００９４】
そして、ライブラリ装置制御回路からデータ記録再生装置の主装置１１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００９５】
また、ライブラリ装置制御回路からデータ記録再生装置の従装置１２にデータが送られると、インタフェース回路１６でデータを受け取り、信号処理回路１５でスクランブルを施し、誤り訂正符号を付加し、インタリーブを施し、データ変調して光ピックアップ１３に送り、光ディスク２に記録する。
【００９６】
次に、光ディスク２からデータを再生する場合のデータ記録再生装置９１の動作を説明する。データ記録再生装置９１に光ディスク２が装着されると、ＣＰＵ７はスピンドルモータ１０を介して光ディスク２を回転させ、光ピックアップ３、増幅回路４、サーボ回路８を介して光ディスク２の識別情報、媒体情報、管理情報等を読み出し、メモリ２０に記憶する。ＣＰＵ１７は光ディスク２の識別情報と媒体情報、管理情報等を、ライブラリ装置制御回路を介してメモリから読み出すことができる。
【００９７】
そして、ライブラリ装置制御回路からデータ記録再生装置の主装置１１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してライブラリ装置制御回路にデータを送る。
【００９８】
また、ライブラリ装置制御回路からデータ記録再生装置の従装置１２にデータが要求されると、光ピックアップ１３を介して光ディスク２から読み出した信号を増幅回路１４で増幅し、信号処理回路１５でデータ復調し、インタリーブを解き、誤り訂正を行い、スクランブルを解き、インタフェース回路１６を介してライブラリ装置制御回路にデータを送る。
【００９９】
なお、データ記録再生装置９１について説明したが、データ記録再生装置９２、９３、９４についても同様である。
【０１００】
図１０は第３の実施例のデータライブラリ装置の動作を示すフローチャートである。ステップＳ１００１においてサーバにデータの記録再生要求があった場合、ステップＳ１００２においてサーバはまず当該データがハードディスクに存在するかどうかを調べる。ハードディスクに存在する場合は、ステップＳ１００３においてハードディスクにデータ記録再生を行う。ハードディスクに存在しない場合は、ステップＳ１００４において光ディスクに存在するかどうかを調べる。光ディスクに存在しない場合は、ステップＳ１００３においてハードディスクにデータ記録再生を行う。光ディスクに存在する場合は、ステップＳ１００５において該当する光ディスクをデータ記録再生装置に装着する。
【０１０１】
次に、ステップＳ１００６においてデータ記録再生装置の主装置が光ディスクを回転させ、ステップＳ１００７において光ディスクから識別情報を読み出す。
【０１０２】
次にステップＳ１００８においてメモリに当該識別情報に対応する情報があるかどうかを確認し、情報がある場合はステップＳ１００９においてデータ記録再生装置の主装置がライブラリ装置制御回路を介してメモリから読み出す。情報がない場合はステップＳ１０１０においてデータ記録再生装置の主装置が光ディスクから読み出し、ステップＳ１０１１においてライブラリ装置制御回路を介してメモリに書き込む。
【０１０３】
次にステップＳ１０１５においてデータ記録再生装置の主装置により光ディスクにデータ記録再生処理を行うが、ステップＳ１０１２において当該光ディスクに対する別の端末からのデータ要求が確認された場合は、ステップＳ１０１３においてデータ記録再生装置の従装置がライブラリ装置制御回路を介してメモリから各種情報を読み出し、ステップＳ１０１４においてデータ記録再生装置の主装置により光ディスクにデータ記録再生処理を行うと共にデータ記録再生装置の従装置により光ディスクにデータ記録再生処理を行う。
【０１０４】
データ記録再生処理が終了したらステップＳ１０１６において光ディスクの管理情報を更新するかどうかを確認する。管理情報を更新する場合は、ステップＳ１０１７においてデータ記録再生装置の主装置が光ディスクとメモリに管理情報を書き込む。
【０１０５】
次に、ステップＳ１０１８において光ディスクを排出し、処理を終了する。
【０１０６】
図１１は第４の実施例のデータライブラリ装置のメモリに書き込まれた各種情報の例を示した表である。
【０１０７】
各光ディスクから読み出した媒体情報と管理情報を識別情報と共にメモリに書き込んでおき、光ディスクがデータ記録再生装置に装着された際に識別情報に対応する媒体情報と管理情報をメモリから読み出す。メモリに媒体情報と管理情報が書き込んであるため、当該情報を改めて光ディスクから読み出す必要はなく、光ディスクから読み出す時間を削減できる。
【０１０８】
なお、本実施例ではライブラリ装置制御回路と各データ記録再生装置をＳＡＴＡとは別の信号線で接続して、光ディスク毎の各種情報を送る例を示したが、ＳＡＴＡを介して送ってもよい。
【０１０９】
また、本実施例では光ディスク毎の各種情報を、データライブラリ装置内のメモリに記録したが、メモリはどこにあってもよく、サーバにあってもよい。また、情報を保持できればメモリでなくてもよく、例えばサーバのハードディスクでもよい。
【０１１０】
また、本実施例ではメモリに記録した各ディスクの媒体情報とセットアップ情報を、各ディスクの識別情報により特定する例を示したが、一般にデータライブラリ装置は各ディスクのファイルシステムをハードディスクに記録しているため、このファイルシステムに対応させて媒体情報とセットアップ情報を特定してもよい。
【０１１１】
以上の構成により本発明の第４の実施例では、２つのホストインタフェースを介して２つの端末から同一の光ディスクに対して独立かつ適切にデータ記録再生を行うことができる。
【０１１２】
更に、第４の実施例では第３の実施例のように各データ記録再生装置がメモリを１つずつ持つ構成ではなく、各データ記録再生装置に共通でメモリを持つ構成のため、各データ記録再生装置間で情報を共有することができる。
【０１１３】
更に、メモリに光ディスク毎の各種情報を記憶しておくため、メモリに該当情報が存在する場合は、当該情報を改めて光ディスクから読み出す必要はなく、光ディスクから読み出す時間を削減できる。
【０１１４】
また、主装置と従装置の間で、情報を送受信できるような構成としてもよい。例えば、主装置が記録または再生処理中に、従装置が処理を開始し、従装置が処理をする前に、主装置の処理が終了した場合、主装置側で光ディスクの回転を止められない。この場合、従装置の処理が終了したときに、終了した旨の通知を主装置側に送信する。
【０１１５】
また、従装置が処理中に、主装置側で光ディスクの回転を止めてしまうと従装置側で処理を継続できない。このような場合に備え、従装置の処理が開始した旨の通知を主装置側に送信し、主装置側が、該通知を受けてから従装置の処理が終了した旨の通知を受信するまで、光ディスクの回転を継続する構成としてもよい。
【０１１６】
なお、このような主装置と従装置間の情報の送受信は、主装置と従装置間で直接行ってもよいし、主装置と従装置を制御するＣＰＵや上位ホストを介して行ってもよい。
【０１１７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１１８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【０１１９】
また、制御線や情報線は説明上必要と考えられるものを示しており、製品上必ずしも全ての制御線や情報線を示しているとは限らない。実際には殆ど全ての構成が相互に接続されていると考えてもよい。
【０１２０】
また、本発明は光ディスクだけでなくハードディスク等にも適用することが出来る。また、本発明は片面に情報が記録されている、または記録可能なものだけなく、両面に情報が記録されている、または記録可能な両面ディスクにも適用することが出来る。この場合、ディスクの両面側にそれぞれヘッドを設ける構成とする。
【０１２１】
また、本発明は、ヘッドが２個の場合に限られず、例えば、ディスクの両面側にそれぞれヘッドを２個づつ設け、両面ディスクに対応できる構成としても構わない。
【符号の説明】
【０１２２】
１…データ記録再生装置
２…光ディスク
３、１３…光ピックアップ
４、１４…増幅回路
５、１５…信号処理回路
６、１６…インタフェース回路
７、１７…ＣＰＵ
８、１８…サーボ回路
９、１９、２０…メモリ
１０…スピンドルモータ
１１…データ記録再生装置の主装置
１２…データ記録再生装置の従装置
【図１】
2013077346.tif 000003
【図２】
2013077346.tif 000004
【図３】
2013077346.tif 000005
【図４】
2013077346.tif 000006
【図５】
2013077346.tif 000007
【図６】
2013077346.tif 000008
【図７】
2013077346.tif 000009
【図８】
2013077346.tif 000010
【図９】
2013077346.tif 000011
【図１０】
2013077346.tif 000012
【図１１】
2013077346.tif 000013